(57)【要約】【課題】  熟練者でなくても安全に２番目の操作者として操作することができる放水装置を提供することである。【解決手段】  放水装置１が放水用ノズル１０と、放水用ノズル１０の基部１１とホース３０の先端部３１とを接続可能な接続部材２０を備えている。放水用ノズル１０の基部１１側部分に第１のハンドル１２が取り付けられている。さらに、接続部材２０の本体２１ａ、２１ｂがホース状のものであり、接続部材２０のホース接続側の端部２２に第２のハンドル２４が取り付けられ、接続部材２０の中央部に第３のハンドル２５が取り付けられている。【選択図】        図１
2005261623.tif 000002
【特許請求の範囲】
【請求項１】
放水用ノズルと、このノズルの基部とホースの先端部とを接続可能な接続部材を備え、
前記ノズルの基部側部分に第１のハンドルが取り付けられ、前記接続部材に第２のハンドルが取り付けられていることを特徴とする放水装置。
【請求項２】
請求項１に記載した放水装置であって、
前記接続部材の本体がホース状のものであり、この本体に前記第２のハンドルが取り付けられていることを特徴とする放水装置。
【請求項３】
請求項１又は２に記載した放水装置であって、
前記接続部材のホース接続側の端部に前記第２のハンドルが取り付けられ、さらに、前記接続部材の中央部に第３のハンドルが取り付けられていることを特徴とする放水装置。
【発明の詳細な説明】
【技術分野】
【０００１】
本発明は、消火等に使用される放水用ノズルを備えた放水装置に関するものであり、特に、先頭操作者および２番目の操作者が操作し易い放水装置に関するものである。
【背景技術】
【０００２】
従来、図６に示すように、放水用ノズル６０の基部にはハンドル６１が取り付けられている。先頭にて放水用ノズル６０を操作して、放水用ノズル６０から水８０を噴出させて消火活動等をする先頭の操作者７１はこのハンドル６１を例えば左手７２で握り、右手７３で放水用ノズル６０の先端側部分を握って、放水用ノズル６０を操作している（例えば特許文献１）。
【特許文献１】特開２００２−１７２１８３公報
【発明の開示】
【発明が解決しようとする課題】
【０００３】
しかし、上述の従来例では、先頭の操作者７１の後の２番目の操作者７６は放水用ノズル６０の基部に接続されたフレキシブルなホース６２を例えば左手７７および図示しない右手で握ることになるので、力を入れてホース６２を握ることが困難であり、安全ではなかった。このため、２番目の操作者７６は、先頭の操作者７１と同様に特殊な訓練を繰り返して行い、専門的な技術を習得する必要があるという問題があった。
そこで、本発明の課題は、上述の問題点をなくし、熟練者でなくても安全に２番目の操作者として操作することができる放水装置を提供することである。
【課題を解決するための手段】
【０００４】
上記課題を解決するため、請求項１記載の発明は、放水用ノズルと、このノズルの基部とホースの先端部とを接続可能な接続部材を備え、前記ノズルの基部側部分に第１のハンドルが取り付けられ、前記接続部材に第２のハンドルが取り付けられていることを特徴とする放水装置である。
これにより、放水用ノズルの基部とホースの先端部とを接続部材が接続した状態において、先頭の操作者が一方の手で放水用ノズルの基部側部分に取り付けられた第１のハンドルを握り、他方の手で放水用ノズルの他の部分を握って放水用ノズルを確実に保持するとともに、この先頭の操作者の後に位置する２番目の操作者が一方の手で前記接続部材に取り付けられた第２のハンドルを握り、他方の手で前記接続部材の他の部分を握って、前記接続部材を確実に保持できるので、放水用ノズルから放水する際に放水装置の操作性および安全性が向上する。
【０００５】
さらに、請求項２記載の発明は、請求項１に記載した発明において、前記接続部材の本体がホース状のものであり、この本体に前記第２のハンドルが取り付けられていることである。
これにより、前記接続部材の本体がホースと同様にフレキシブルに曲がるので、放水装置の操作性が向上する。
【０００６】
さらに、請求項３記載の発明は、請求項１又は２に記載した発明において、前記接続部材のホース接続側の端部に前記第２のハンドルが取り付けられ、さらに、前記接続部材の中央部に第３のハンドルが取り付けられていることである。
これにより、２番目の操作者がその一方の手で前記第２のハンドルを握り、他方の手で第３のハンドルを握ることができるので、前記接続部材を確実に保持することができるとともに、放水装置の操作性が向上する。
【発明の効果】
【０００７】
請求項１記載の発明によれば、２番目の操作者が熟練者でなくても、安全で確実な消火防災活動が可能となる。
さらに、請求項２記載の発明によれば、請求項１記載の発明の効果とともに、放水装置の操作性が向上する。
さらに、請求項３記載の発明によれば、請求項１又は２記載の発明の効果とともに、放水装置の操作性が一層向上する。
【発明を実施するための最良の形態】
【０００８】
以下、本発明における実施の形態を図面に基づいて説明する。
図１は、本発明の実施の形態に係る放水装置を示し、図２は図１の放水装置の断面を示し、図３は図２のハンドルを示す。さらに、図４は図３のハンドルの変形例を示し、図５は前記放水装置の使用例を示す。
【０００９】
図１に示す放水装置１では、放水用ノズル１０と、この放水用ノズル１０の基部１１とホース３０の先端部３１とを接続可能な（例えば町野式（登録商標）接続金具方式による）接続部材２０を備えている。ここで、接続部材２０の一方の端部はホース接続部２２であり、接続部材２０の他方の端部はノズル側接続部２３である。先端部３１がホース接続部２２に差し込まれた状態で、ホース接続部２２はホース３０の先端部３１に着脱自在に接続でき、ノズル側接続部２３は放水用ノズル１０の基部１１に差し込まれて着脱自在に接続可能である。
そして、放水用ノズル１０の基部１１側部分に第１のハンドル１２が取り付けられ、放水用ノズル１０の先端側は放水口１３となっている。
【００１０】
図２に示すように、接続部材２０の本体２１ａ、２１ｂはホース３０と同様のものであり、本体２１ａのホース３０接続部２２に第２のハンドル２４が取り付けられている。図３に示すように、第２のハンドル２４は内側環状部分２４ａ、外側環状部分２４ｂおよび内側環状部分２４ａと外側環状部分２４ｂとを連結する４本の連結部分２４ｃを備えた円周タイプのものである。そして、内側環状部分２４ａに嵌合するように結合部２４ｄが固定され、この結合部２４ｄが本体２１ａの一方の端部２１ｃに差し込まれ、締結具２４ｅが一方の端部２１ｃを締め付けて結合部２４ｄが一方の端部２１ｃから抜けないように固定している。
【００１１】
さらに、第２のハンドル２４と同じ形状に形成された第３のハンドル２５の内側環状部分２５ａに結合部２５ｄ、２５ｅが互いに反対の向きに固定され、結合部２５ｄが本体２１ａの他方の端部２１ｄに差し込まれて締結具２５ｆにより固定されている。また、結合部２５ｅが本体２１ｂの一方の端部２１ｅに差し込まれ締結具２５ｇにより固定されている。このようにして、第３のハンドル２５が本体２１ａ、２１ｂ全体の中央部に取り付けられている。
【００１２】
さらに、本体２１ｂの他方の端部２１ｆにノズル側接続部２３の結合部２３ａが差し込まれ、締結具２３ｂにより固定されている。なお、上記各締結具２３ｂ、２４ｅ、２５ｆ、２５ｇは、例えば針金巻、エキスパンダ、ヨネリング、ジェットガード等である。
【００１３】
以上の構成の放水装置１は、図５に示すように操作することができる。
放水用ノズル１０の基部１１とホース３０の先端部３１とを接続部材２０が接続した状態において、先頭の操作者４１が放水用ノズル１０の基部１１の第１のハンドル１２を例えば右手４２で握り、放水用ノズル１０の先端の放水口１３側を左手４３で握って放水用ノズル１０を確実に保持する。そして、この先頭の操作者４１の後に位置する２番目の操作者４６が接続部材２０に取り付けられた第２のハンドル２４を例えば右手４７で握り、
第３のハンドル２５を左手４８で握って接続部材２０を確実に保持できるので、放水用ノズル１０から水５０を噴出させる際に放水装置１の操作性および安全性が向上する。
さらに、接続部材２０の本体２１ａ、２１ｂがホース３０と同様にフレキシブルに曲げることができるものであるので、放水装置１の操作性が向上する。
【００１４】
なお、上記実施の形態において、ハンドル２４、２５の形状は図３に図示されたものに限定されず、例えば図４に示すような形状をとることができる。図４（ａ）では、ハンドル２６は、内側環状部分２６ａ、外側円弧部分２６ｂおよび内側環状部分２６ａと外側円弧部分２６ｂとを連結する３本の連結部分２６ｃを備えた２穴タイプのものである。図４（ｂ）に示すハンドル２７は、内側環状部分２７ａ、外側円弧部分２７ｂおよび内側環状部分２７ａと外側円弧部分２７ｂとを連結する２本の連結部分２７ｃを備えた１穴タイプのものである。図４（ｃ）では、ハンドル２８は、環状部分２８ａとおよび環状部分２８ａから外側に延びている棹状部分２８ｂを備えたレバータイプのものである。ここで、各内側環状部分２６ａ、２７ａおよび環状部分２８ａは図３のハンドル２４の内側環状部分２５ａに相当する。操作者は、外側円弧部分２６ｂ、２７ｂおよび棹状部分２８ｂを握ることができる。
また、第３のハンドル２５を省略することもできる。
【図面の簡単な説明】
【００１５】
【図１】本発明の実施の形態に係る放水装置を示す斜視図である。
【図２】図１の放水装置の断面図である。
【図３】図２のハンドルを示す部分図である。
【図４】図３のハンドルの変形例を示す部分図である。
【図５】前記放水装置の使用例を示す説明図である。
【図６】従来例の使用例を示す説明図である。
【符号の説明】
【００１６】
１  放水装置
１０  放水用ノズル
１１  基部
１２  第１のハンドル
２０  接続部材
２１ａ、２１ｂ  本体
２２  ホース側接続部
２３  ノズル側接続部
２４  第２のハンドル
２５  第３のハンドル
３０  ホース
３１  先端部
【図１】
2005261623.tif 000003
【図２】
2005261623.tif 000004
【図３】
2005261623.tif 000005
【図４】
2005261623.tif 000006
【図５】
2005261623.tif 000007
【図６】
2005261623.tif 000008